(57)【要約】【課題】  複数の機種識別方法を組み合わせることにより制御基板の複数機種対応・統合化することができ、管理点数削減、品質の安定化を図ることができる空気調和装置を得る。【解決手段】  圧縮機１、室外側熱交換器２等よりなる熱源機Ａと、室内側熱交換器４、絞り装置３等よりなる室内機Ｂとを冷媒配管５、６で連通して構成され、複数機種対応のＨ／Ｗ、Ｓ／Ｗを備えた制御基板を有する空気調和装置において、通信情報、センサ接続情報２０８、ジャンパ線設定２０９、アクチュエータ接続情報２１０、スイッチ設定情報２１１、分圧抵抗２１２等のアナログ入力、第１の不揮発性メモリ記憶手段２１３の内容、の組み合わせにより対応機種を判別する機種判別手段２０１を備える。【選択図】  図２  
2005114315.tif 000002
【特許請求の範囲】
【請求項１】
圧縮機、室外側熱交換器等よりなる熱源機と、室内側熱交換器、絞り装置等よりなる室内機とを冷媒配管で連通して構成され、複数機種対応のＨ／Ｗ、Ｓ／Ｗを備えた制御基板を有する空気調和装置において、通信情報、センサ接続情報、ジャンパ線設定、アクチュエータ接続情報、スイッチ設定情報、分圧抵抗等のアナログ入力、第１の不揮発性メモリ記憶手段の内容、の組み合わせにより対応機種を判別する機種判別手段を備えたことを特徴とする空気調和装置。
【請求項２】
通信情報として、接続されている機器の属性情報により対応機種を判定し、それに応じて動作することを特徴とする請求項１記載の空気調和装置。
【請求項３】
接続されているセンサ部の入力値、接続有無により対応機種を判定し、それに応じて動作することを特徴とする請求項１記載の空気調和装置。
【請求項４】
機種判別手段は、センサ接続情報、ジャンパ線設定、アクチュエータ接続情報、などのＨ／Ｗ的な相違で大枠の区別をした上で、スイッチ設定情報、アナログ入力、第１の不揮発性メモリ記憶手段の内容などで詳細な識別を行うことを特徴とする請求項１記載の空気調和装置。
【請求項５】
スイッチ設定、第１の不揮発性メモリ記憶手段への書込み、アナログ入力接続は、出荷検査時に設定することを特徴とする請求項１記載の空気調和装置。
【請求項６】
機種識別情報を既設システム機器内で記憶しておく第１の不揮発性メモリ記憶手段を設け、制御基板交換時に未記憶の基板の場合は、立ち上げ処理で過去と同じデータを復旧させる第２の不揮発性メモリ記憶手段を備えたことを特徴とする請求項１記載の空気調和装置。
【請求項７】
機種対応で変更・拡張の可能性のある制御パラメータ等は第２の不揮発性メモリに配置し、適宜書き換え可能とすることを特徴とする請求項１記載の空気調和装置。
【請求項８】
制御基板のＨ／Ｗ、Ｓ／Ｗの識別情報を制御基板上に外部的に識別可能な表示としたことを特徴とする請求項１記載の空気調和装置。
【請求項９】
制御基板のＨ／Ｗ、Ｓ／Ｗの識別情報の制御基板上への表示を部品実装機での部品有無にて実施することを特徴とする請求項１記載の空気調和装置。
【請求項１０】
部品実装機での部品有無を制御基板のＨ／Ｗ、Ｓ／Ｗの識別情報の表示、及び分圧抵抗等のアナログ入力とすることを特徴とする請求項１記載の空気調和装置。
【請求項１１】
接続センサ情報による判別は、外気温度センサの検出値と、高圧および又は低圧圧力センサの検出値から、冷媒種類を判別することで実施することを特徴とする請求項１記載の空気調和装置。
【発明の詳細な説明】
【技術分野】
【０００１】
この発明は、空気調和装置に関するものであり、特に制御基板の統合化・機種自動判別に関するものである。
【背景技術】
【０００２】
従来の空気調和装置においては、各機種固有に応じたＨ／ＷおよびＳ／Ｗを備えた制御基板をそれぞれ用意する必要があった。このため、制御基板上の機種切り替えジャンパ線によって機種を判別するという構成にしている（例えば、特許文献１参照）。
または、アクチュエータおよびその駆動回路の有無による判別をする構成にしている（例えば、特許文献２参照）。
【０００３】
【特許文献１】特開２００２−１１５６６５号公報
【特許文献２】特開平１０−１８５３７４号公報
【発明の開示】
【発明が解決しようとする課題】
【０００４】
従来の空気調和装置では、各機種固有の制御基板を備えた場合は、管理点数が増えることになり、また少量多品種の機種になるため、各制御基板のコストが下げられないという問題点があった。
また、機種を自動判別するものでは、判別できる点数が限られたり、機種の基本機能の違い・冷媒の違い・容量の違い、といった多岐にわたる判別を行うには不十分なものであった。
また、標準機種からの派生による物件個別対応のマイナーチェンジ機種など、製品出荷後にも発生する可能性のある細かな判別要望に十分答えることが出来なかった。
また、完全にＨ／ＷおよびＳ／Ｗを同一化・統合化できない場合においても、制御基板のプリント基板など、部分的に共通化することはコスト的にメリットがあるが、Ｈ／Ｗ的な部品実装の相違やＳ／Ｗの相違についての識別が明確でない場合には制御基板の選択間違いが発生する可能性があった。
また、判別活用する情報に関してはＳ／Ｗ設定ミスやコネクタ挿し忘れおよび上記制御基板の選択間違いなどの人間が介在する故の誤りが避けられないが、自動伴別において間違いのまま判別完了してしまい、誤った制御動作を行うことに対して歯止めがかからず、所定の機能が発揮できなかったり、最悪の場合機器部品破損に繋がる場合があった。
【０００５】
この発明は、上述のような課題を解決するためになされたもので、第1の目的は、複数の機種識別方法を組み合わせることにより制御基板の複数機種対応・統合化することができ、管理点数削減、品質の安定化を図ることができる空気調和装置を得るものである。
【課題を解決するための手段】
【０００６】
この発明に係る空気調和装置においては、圧縮機、室外側熱交換器等よりなる熱源機と、室内側熱交換器、絞り装置等よりなる室内機とを冷媒配管で連通して構成され、複数機種対応のＨ／Ｗ、Ｓ／Ｗを備えた制御基板を有するものにおいて、通信情報、センサ接続情報、ジャンパ線設定、アクチュエータ接続情報、スイッチ設定情報、分圧抵抗等のアナログ入力、第１の不揮発性メモリ記憶手段の内容、の組み合わせにより対応機種を判別する機種判別手段を備えたものである。
【発明の効果】
【０００７】
この発明の空気調和装置によれば、複数の機種識別方法を組み合わせることにより制御基板の複数機種対応・統合化することができ、管理点数削減、品質の安定化を図ることができる。特にＳ／Ｗについては大幅に共通化を進めることが可能となるため、Ｓ／Ｗ管理点数の削減、共通仕様変更負荷削減、品質の安定化等が可能となる。
【発明を実施するための最良の形態】
【０００８】
実施の形態１.
図１はこの発明の実施の形態１における空気調和装置を示す構成図、図２はこの発明の実施の形態１における制御機器の構成を示すブロック図、図３はこの発明の実施の形態１における抵抗器の接続回路を示す構成図である。
図１において、空気調和装置は、熱源機Ａと室内機Ｂとから構成されている。熱源機Ａは圧縮機１及び熱源機側熱交換器２を備えており、室内機Ｂは絞り装置３及び室内側熱交換器４を備えており、冷媒配管５、６により接続されている。また、熱源機制御機器７及び室内機制御機器８が設けられている。
図２において、制御機器は、機種判別手段２０１、システム情報記憶手段２０２、属性情報２０３、このシステム情報記憶手段２０２と属性情報２０３の通信手段２０４、出荷検査手段２０５、この出荷検査手段２０５の通信手段２０６、この通信手段２０６及び通信手段２０４と通信する通信手段２０７、センサ接続情報２０８、ジャンパ線２０９、アクチュエータ接続情報２１０、スイッチ設定情報２１１、分圧抵抗２１２、第１の不揮発性メモリ記憶手段２１３、飽和温度検出手段２１４、外気温度検出手段２１５、高低圧圧力検出手段２１６、冷媒種類特定手段２１７、抵抗器２１８、抵抗器接続手段２１９、制御パラメータ記憶手段２２０、出力手段２２１等を備えている。
図３において、マイコン２３０は機種判別手段を備えており、２３１、２３２は分圧抵抗器、２３３は抵抗器接続手段、２３４は抵抗器である。
このように構成された制御基板において、機種判別手段２０１には、通信手段２０７を介してシステム情報記憶手段２０２と属性情報２０３が入力可能である。また、機種判別手段２０１には、センサ接続情報２０８、ジャンパ線２０９の有無情報、アクチュエータ接続情報２１０、スイッチ設定情報２１１、分圧抵抗２１２のアナログ入力、第１の不揮発性メモリ記憶手段２１３の内容がそれぞれ入力可能である。
なお、第１の不揮発性メモリ記憶手段２１３は、通信手段２０６、通信手段２０７を介して出荷検査手段２０５からその記憶内容を書き換えることも可能である。
また、機種判別手段２０１は、飽和温度検出手段２１４、外気温度検出手段２１５、高低圧圧力検出手段２１６によって冷媒種類特定手段２１７により特定された冷媒情報が入力可能である。
その他にも機種判別手段２０１には、抵抗器接続手段２１９を介して接続された抵抗器２１８の内容が入力可能である。
【０００９】
以上の機種判別手段２０１に入力可能なもののうち少なくとも１つ以上が入力され、その入力の内容の組み合わせにより対応機種を判別することが可能となる。
ここで、分圧抵抗２１２、ジャンパ線２０９は、Ｓ／Ｗのメモリ専有の限定によりベースＳ／Ｗの選択コンパイルによる対応をする場合等に活用する。同じ意味づけの重複設定による冗長性を持たせるための活用も可能であり、また、センサ／アクチュエータ等による区別の補完として使用した場合、非使用部品は制御基板に非実装としてコストを削減することも可能である。
リレー等の駆動回路の駆動信号出力情報であるアクチュエータ接続情報２０８は、例えば四方弁の有無により冷房専用／ヒートポンプ機種切り替え等に使用可能であるように、特定の電磁弁、リニア膨張弁（ＬＥＶ）等の接続有無による機種区別に使用可能である。
また、特定のセンサの有無は、例えば冷媒組成検知用センサの有無により冷媒種類判定であるＲ４０７Ｃ判定に使用可能である。
また、外気温度検出手段２１５による温度と高低圧圧力検出手段２１６による圧力から飽和温度検出手段２１４にて換算した飽和温度の関係は、冷媒種類特定手段２１７によるＲ２２とＲ４１０Ａのような飽和温度の異なる冷媒種類の区別に使用可能である。
また、接続されている機器の属性情報２０３による区別は、詳細の識別方法については省略するが、例えば三菱電機製ビル用マルチエアコンを例に取ると、同一冷媒系統内に分流コントローラが接続されている場合はＲ２シリーズ、定速機が接続されている場合はＳＥＴＹシリーズ、蓄熱槽が接続されている場合はＩＣＥ−ＹＫシリーズ、というように、機種により特定な接続機器の有無により区別することが可能であり、これにより対応機種を判定し、それに応じて動作する。
また、通信方法の違いにより新旧機種の判別が可能であり、機種のバージョンのレベル合わせが可能である。
また、第１の不揮発性メモリ記憶手段２１３の内容、スイッチ設定情報２１１、外部抵抗によるアナログ値は同一シリーズ内での容量区別、同じ意味づけの重複設定による冗長性を持たせるための活用、物件別チューニング設定等に使用可能である。
従って、以上のような機種判別手段２０１を設けることにより、制御基板の複数機種対応・統合化することができ、管理点数削減、品質の安定化を図ることができる。特にＳ／Ｗについては大幅に共通化を進めることが可能となるため、Ｓ／Ｗ管理点数の削減、共通仕様変更負荷削減、品質の安定化等が可能となり、またマイナーチェンジ対応等の細かな判別要望にも対応可能となる。  
また、機種判別手段２０１は、センサ接続情報、ジャンパ線設定、アクチュエータ接続情報、など機種シリーズのＨ／Ｗ的な相違で大枠の区別をした上で、スイッチ設定情報、アナログ入力、第１の不揮発性メモリ記憶手段の内容、など容量別のＳ／Ｗ的に区別する詳細な識別を行うことができる。
機種固有の情報である通信方法、接続されている機器の属性情報、接続されたセンサの種類・箇所の情報、リレー等の駆動回路の駆動信号出力情報、外気温度と高低圧圧力から換算した飽和温度の関係より特定した冷媒種類を機種判別に用いることにより、誤設定を回避することができる。
抵抗器の接続、スイッチ設定、第１の不揮発性メモリ記憶手段への書き込みは出荷検査時に設定・接続することにより、直前までは共通の製造工程・組立となり、品質の安定化、ロットが増えることによる加工費削減が可能となる。
【００１０】
実施の形態２．
図４はこの発明の実施の形態２における空気調和装置の動作を示すフローチャートである。
この実施の形態２に係る空気調和装置は、第１の不揮発性メモリ記憶手段２１３の他に何も書き込まれていない第２の不揮発性メモリ記憶手段を備えたものである。
図４により実施の形態２の動作について説明する。製品出荷後初めてシステムを立ち上げた場合には室外機及び室内機の第２の不揮発性メモリ記憶手段には何も書き込まれていないため、ステップＳ３０４において、実施の形態１と同様の機種判別を行い、ステップＳ３０６で機種確定した場合はステップＳ３０３で室外機及び室内機の第２の不揮発性メモリ記憶手段に機種情報を書き込む。
室内機の追加等システム変更をした場合は、ステップＳ３０１で室外機の第２の不揮発性メモリ記憶手段の機種情報によりステップＳ３０２で冷媒種類、接続機器の属性情報、通信方法のみアンマッチがないかを確認し、アンマッチがない場合は分圧抵抗、ジャンパ線、第１の不揮発性メモリ記憶手段の内容等の情報は不要となり、ステップＳ３０３で機種確定し室外機及び室内機の第２の不揮発性メモリ手段に機種情報を書き込む。
室外機の基板交換等によりステップＳ３０１で第２の不揮発性メモリ記憶手段に機種情報が無い場合には、ステップＳ３０５で室内機の不揮発性メモリ記憶手段の機種情報を検索し、機種確定可能なら、ステップＳ３０２で冷媒種類、接続機器の属性情報、通信方法のみアンマッチがないかを確認する。アンマッチがなければステップＳ３０３で室内機の不揮発性メモリ記憶手段の機種情報の通りに機種確定し、室外機及び室内機の第２の不揮発性メモリ記憶手段に機種情報を書き込む。
ステップＳ３０５で複数の機種情報があるなどにより機種確定できない場合、及びステップＳ３０２で冷媒種類、接続機器の属性情報、通信方法のアンマッチがあった場合には、ステップＳ３０４で実施の形態１と同様の機種判別を行い、ステップＳ３０６で機種確定した場合はステップＳ３０３の室外機及び室内機の第２の不揮発性メモリ記憶手段に機種情報を書き込む。
ステップＳ３０６で機種確定しない場合にはステップＳ３０７でリモコン等の異常表示手段に異常表示し、ステップＳ３０８で外部書き込み装置又はスイッチ操作等により第２の不揮発性メモリ記憶手段への書き込みをサービスマンが行い、ステップＳ３０１に戻る。
以上により、通常のシステム変更、基板変更においては室外機又は室内機の第２の不揮発性メモリ記憶手段に記憶された機種情報により復元可能となるため、機種毎の作業が不要となりサービス対応が容易になる。また、ジャンパ線、分圧抵抗等をサービス対応部品は共通にすることが可能となる。
また、機種毎に変更・拡張の可能性がある制御パラメータ等も第２の不揮発性メモリ記憶手段に配置し、省エネ・低騒音等の市場マイナーチェンジ対応時には通信手段を介して外部書き込み装置等により第２の不揮発性メモリ記憶手段のデータを書き換える事により、機種毎、マイナーチェンジ対応毎の部品を設定する必要がなくなる。
これにより制御基板の複数機種対応・統合化、更にサービス対応を容易にすることができ、管理点数削減、品質の安定化、工事ミスの削減、コスト削減が可能となる。
なお、上記説明では機種識別情報、制御パラメータ等を室外機及び室内機の不揮発性メモリ記憶手段に書き込む場合について述べたが、リモートコントローラ、システムコントローラ、パソコン、その他の接続可能機器の記憶装置に書き込む場合にも同様であることは言うまでもない。
【００１１】
実施の形態３．
図５及び図６はこの発明の実施の形態３における空気調和装置の基板識別方法を示すものである。
図５において、４０１は抵抗器の有無により機種識別を実施する機種判別手段である。
４０２、４０３、４０４は部品自動挿入機により実装される抵抗器である。４１０は制御基板上に設けられたシルク文字などで外部的な識別を可能とする表示手段である。
図６において、４０５は抵抗器の組み合わせによる分圧抵抗値により機種識別を実行する機種判別手段である。４０６、４０７、４０８は部品自動挿入機により実装される抵抗器、４０９は抵抗器、４１１は制御基板上に設けられたシルク文字などで外部的な識別を可能とする表示手段である。
【００１２】
このように構成された空気調和装置においては、図５のように、制御基板のＨ／Ｗ、Ｓ／Ｗの識別情報を制御基板上にシルク文字などで外部的な識別を可能とする表示手段４１０の表示部と部品自動挿入機により実装される抵抗器４０２、４０３、４０４の配置が１：１となるように配置する。また、配線パターンについても抵抗器４０２、４０３、４０４の実装により機種判別手段４０１への入力がなされるように構成する。または、図６のように、部品自動挿入機により実装される抵抗器４０６、４０７、４０８の有無の組み合わせにより抵抗器４０９との分圧抵抗を構成し機種識別手段４０５へのアナログ入力である入力電圧が切り替わるように接続することも可能である。
部品実装機での抵抗実装箇所の組み合わせは、制御基板の種類、すなわちＨ／Ｗ、Ｓ／Ｗの違い毎に変化させる必要がある。
以上により、外部的な部品識別、部品管理を容易に行うことができ、更に機種識別手段への入力により制御基板の複数機種対応・統合化することができる。
また、人手による基板種類の識別表示作業が不要となり、品質向上、コスト削減につなげることができる。
更に基板識別表示と機種識別手段への入力をかねることにより誤設定、誤表示を防ぐことが可能となる。
【００１３】
ところで、上記説明では、抵抗器を部品実装する場合について述べたが、同じ構成でジャンパ線、ダイオード等を使用する場合にも利用できることは言うまでもない。
【図面の簡単な説明】
【００１４】
【図１】この発明の実施の形態１における空気調和装置を示す構成図である。
【図２】この発明の実施の形態１における制御機器の構成を示すブロック図である。
【図３】この発明の実施の形態１における抵抗器の接続回路を示す構成図である。
【図４】この発明の実施の形態２における空気調和装置の動作を示すフローチャートである。
【図５】この発明の実施の形態３における空気調和装置の基板識別方法を示すものである。
【図６】この発明の実施の形態３における空気調和装置の基板識別方法の他の例を示すものである。
【符号の説明】
【００１５】
Ａ  熱源機、Ｂ  室内機、１  圧縮機、２  熱源機側熱交換機、
３  絞り装置、４  室内機側熱交換機、５  冷媒配管、６  冷媒配管、
７  熱源機制御機器、８  室内機制御機器
２０１  機種判別手段、２０２  システム情報記憶手段、
２０３  属性情報、２０４  通信手段、２０５  出荷検査手段、
２０６  通信手段、２０７  通信手段、２０８  センサ接続情報、
２０９  ジャンパ線、２１０  アクチュエータ接続情報、
２１１  スイッチ設定情報、２１２  分圧抵抗、
２１３  第１の不揮発性メモリ記憶手段、２１４  飽和温度検出手段、
２１５  外気温度検出手段、２１６  高低圧圧力検出手段、
２１７  冷媒種類特定手段、２１８  抵抗器、２１９  抵抗器接続手段、
２２０  制御パラメータ記憶手段、２２１  出力手段
２３０  機種判別手段を備えたマイコン、２３１、２３２  分圧抵抗器
２３３  抵抗器接続手段、２３４  抵抗器
４０１  機種判別手段、４０２、４０３、４０４  抵抗器、
４０５  機種判別手段、４０６、４０７、４０８  抵抗器、
４０９  分圧抵抗器、４１０  表示手段、
４１１  表示手段  
【図１】
2005114315.tif 000003
【図２】
2005114315.tif 000004
【図３】
2005114315.tif 000005
【図４】
2005114315.tif 000006
【図５】
2005114315.tif 000007
【図６】
2005114315.tif 000008